(57)【要約】【課題】第１のカードから第２のカードへのチャージ移動を容易かつ確実に行う。【解決手段】携帯端末１００により、スマートカード２００Ａ及び／又は２００Ｂに対して情報の読み出し及び書き込みを行い、クラウドサーバー３００により、スマートカード２００Ａ、２００Ｂに関する情報を管理する。また、携帯端末１００は、指定された移動金額に基づき、スマートカード２００Ａのチャージ金額をスマートカード２００Ｂに移動させ、スマートカード２００Ａから読み出したカード情報と、スマートカード２００Ｂから読み出したカード情報と、スマートカード２００Ａからスマートカード２００Ｂに移動させた移動金額とをクラウドサーバー３００に送信すると、クラウドサーバー３００は、カード情報と移動金額とに基づき、スマートカード２００Ａ、２００Ｂのチャージ金額を管理する。【選択図】図２
2018120420.tif 000002
【特許請求の範囲】
【請求項１】
プリペイドマネーをチャージする第１及び第２のカードと、
前記第１及び／又は第２のカードに対して情報の読み出し及び書き込みを行う携帯端末と、
前記第１及び第２のカードに関する情報を管理するクラウドサーバーとを備え、
前記携帯端末は、指定された移動金額に基づき、前記第１のカードのチャージ金額を前記第２のカードに移動させ、前記第１のカードから読み出した第１のカード情報と、前記第２のカードから読み出した第２のカード情報と、前記第１のカードから前記第２のカードに移動させた移動金額とを前記クラウドサーバーに送信し、
前記クラウドサーバーは、前記第１及び第２のカード情報と前記移動金額とに基づき、前記第１及び第２のカードのチャージ金額を管理する
ことを特徴とするプリペイドマネー移動システム。
【請求項２】
前記クラウドサーバーは、
前記第１及び／又は第２のカードを保有するユーザーの識別情報及びセキュリティーコードを含むアカウント情報と、前記第１及び第２のカードに関する前記第１及び第２のカード情報と、前記第１及び第２のカードのチャージ金額とが登録されるユーザー管理テーブルを管理するユーザー管理部と、
前記セキュリティーコードに基づきユーザーを認証する認証管理部と、
前記携帯端末からのログイン要求があると、前記認証管理部に対し、ユーザーの認証を指示し、前記ユーザー管理部に対し、前記認証管理部が認証したユーザーからの前記第１のカード情報に基づき前記第１のカードのチャージ金額を、前記移動金額を差し引いた内容に更新させ、前記第２のカード情報に基づき前記第２のカードのチャージ金額を、前記移動金額を加えた内容に更新させるシステム制御部とを有する
ことを特徴とする請求項１に記載のプリペイドマネー移動システム。
【請求項３】
後払いに用いられる第３のカードと、
前記第１及び第２のカードに対して指定した金額をチャージするチャージ端末とを備え、
前記ユーザー管理テーブルには、前記第３のカードの第３のカード情報と、前記第３のカードのオンライン決済サービスアカウント情報とが登録され、
前記システム制御部は、前記ユーザー管理テーブルを参照し、前記移動金額が前記第１のカードのチャージ金額により多い場合、前記オンライン決済サービスアカウント情報を元に、差額分を含む請求情報をオンライン決済サービス側に送信し、前記チャージ端末に前記第２のカード情報とチャージ金額とを含むチャージ関連情報を送信する
ことを特徴とする請求項２に記載のプリペイドマネー移動システム。
【請求項４】
第１及び第２のカードにより、プリペイドマネーをチャージする工程と、
携帯端末により、前記第１及び／又は第２のカードに対して情報の読み出し及び書き込みを行う工程と、
クラウドサーバーにより、前記第１及び第２のカードに関する情報を管理する工程とを有し、
前記携帯端末は、指定された移動金額に基づき、前記第１のカードのチャージ金額を前記第２のカードに移動させ、前記第１のカードから読み出した第１のカード情報と、前記第２のカードから読み出した第２のカード情報と、前記第１のカードから前記第２のカードに移動させた移動金額とを前記クラウドサーバーに送信し、
前記クラウドサーバーは、前記第１及び第２のカード情報と前記移動金額とに基づき、前記第１及び第２のカードのチャージ金額を管理する
ことを特徴とするプリペイドマネー移動方法。
【請求項５】
前記クラウドサーバーのユーザー管理部により、前記第１及び／又は第２のカードを保有するユーザーの識別情報及びセキュリティーコードを含むアカウント情報と、前記第１及び第２のカードに関する前記第１及び第２のカード情報と、前記第１及び第２のカードのチャージ金額とが登録されるユーザー管理テーブルを管理する工程と、
前記クラウドサーバーの認証管理部により、前記セキュリティーコードに基づきユーザーを認証する工程と、
システム制御部により、前記携帯端末からのログイン要求があると、前記認証管理部に対し、ユーザーの認証を指示し、前記ユーザー管理部に対し、前記認証管理部が認証したユーザーからの前記第１のカード情報に基づき前記第１のカードのチャージ金額を、前記移動金額を差し引いた内容に更新させ、前記第２のカード情報に基づき前記第２のカードのチャージ金額を、前記移動金額を加えた内容に更新させる工程とを有する
ことを特徴とする請求項４に記載のプリペイドマネー移動方法。
【請求項６】
前記ユーザー管理テーブルには、後払いに用いられる第３のカードの第３のカード情報と、前記第３のカードのオンライン決済サービスアカウント情報とが登録され、
チャージ端末により、前記第１及び第２のカードに対して指定した金額をチャージする工程と、
前記システム制御部により、前記ユーザー管理テーブルを参照し、前記移動金額が前記第１のカードのチャージ金額により多い場合、前記オンライン決済サービスアカウント情報を元に、差額分を含む請求情報をオンライン決済サービス側に送信し、前記チャージ端末に前記第２のカード情報とチャージ金額とを含むチャージ関連情報を送信する工程とを有する
ことを特徴とする請求項５に記載のプリペイドマネー移動方法。
【発明の詳細な説明】
【技術分野】
【０００１】
本発明は、スマートカード間でのプリペイド方式の電子マネー（以下、プリペイドマネーという）の移動に適したプリペイドマネー移動システム及びプリペイドマネー移動方法に関する。
【背景技術】
【０００２】
近年、一般の商取引においても現金決済を行うことなく電子的な金額データをやり取りすることにより商取引を行う、いわゆるプリペイドマネーを用いた決済方法が多く採用されている。プリペイドマネーは、たとえばスマートカードと呼ばれる媒体に組み込まれているＲＦＩＤ（Ｒａｄｉｏ  Ｆｒｅｑｕｅｎｃｙ  Ｉｄｅｎｔｉｆｉｅｒ）用のＩＣ（Ｉｎｔｅｇｒａｔｅｄ  Ｃｉｒｃｕｉｔ）チップに記憶された電子的な金額データを示す。スマートカードに対するデータの読み出し及び書き込みにおいては、接触方式と非接触方式とがあるが、セキュリティーの面から、非接触方式が多く採用されている。
【０００３】
また、スマートカードにおいては、非接触方式の場合、たとえばＮＦＣ（登録商標：Ｎｅａｒ  Ｆｉｅｌｄ  Ｃｏｍｍｕｎｉｃａｔｉｏｎ）対応の専用端末に現金を投入することで、希望する金額をチャージできる。ところで、たとえば複数枚のスマートカードを所持している場合であっても、金額データの管理上、１枚のスマートカードによる支払いに限られる。この場合、スマートカードでの決済において支払額が不足したとき、他のスマートカードに支払額を満たす金額がチャージされていても決済できないことになる。
【０００４】
このような不便さを解消するものとして、特許文献１では、価値情報の移動元の記憶媒体と、価値情報の移動先の記憶媒体とを関連付け、受付機器により、価値情報の移動元の記憶媒体の移動元ＩＤ、価値情報の移動先の記憶媒体の移動先ＩＤ、移動させる価値情報の量を示す移動額、価値情報の移動先の記憶媒体への移動処理を実行する場所を示す配信場所コードなどを受け付けてデータ処理装置に送信し、データ処理装置により、配信場所コードに対応する機器に、移動先ＩＤと移動額とを送信する価値情報移動方法を提案している。
【先行技術文献】
【特許文献】
【０００５】
【特許文献１】特開２０１２−０２７８０４号公報
【発明の概要】
【発明が解決しようとする課題】
【０００６】
上述した特許文献１での価値情報移動方法では、データ処理装置により、配信場所コードに対応する機器に、移動先ＩＤと移動額とを送信するので、配信場所コードに対応する機器を介し、移動先の記憶媒体に移動元の記憶媒体の価値情報をチャージできる。
【０００７】
ところが、特許文献１での価値情報移動方法では、移動先の記憶媒体に移動元の記憶媒体の価値情報をチャージする場合、移動先の記憶媒体を配信場所コードに対応する機器まで移動させる必要がある。また、配信場所コードに対応する機器まで移動先の記憶媒体を移動させる必要があることから、移動先の記憶媒体に移動元の記憶媒体の価値情報をチャージするまで時間がかかる。また、配信場所コードに対応する機器を間違えた場合、移動先の記憶媒体に移動元の記憶媒体の価値情報をチャージできなくなる。このようなことから、移動元の記憶媒体の価値情報を移動先の記憶媒体に容易かつ確実に移動できるシステムの開発が望まれている。
【０００８】
本発明は、このような状況に鑑みてなされたものであり、上記問題点を解消することができるプリペイドマネー移動システム及びプリペイドマネー移動方法を提供することを目的とする。
【課題を解決するための手段】
【０００９】
本発明のプリペイドマネー移動システムは、プリペイドマネーをチャージする第１及び第２のカードと、前記第１及び／又は第２のカードに対して情報の読み出し及び書き込みを行う携帯端末と、前記第１及び第２のカードに関する情報を管理するクラウドサーバーとを備え、前記携帯端末は、指定された移動金額に基づき、前記第１のカードのチャージ金額を前記第２のカードに移動させ、前記第１のカードから読み出した第１のカード情報と、前記第２のカードから読み出した第２のカード情報と、前記第１のカードから前記第２のカードに移動させた移動金額とを前記クラウドサーバーに送信し、前記クラウドサーバーは、前記第１及び第２のカード情報と前記移動金額とに基づき、前記第１及び第２のカードのチャージ金額を管理することを特徴とする。
また、前記クラウドサーバーは、前記第１及び／又は第２のカードを保有するユーザーの識別情報及びセキュリティーコードを含むアカウント情報と、前記第１及び第２のカードに関する前記第１及び第２のカード情報と、前記第１及び第２のカードのチャージ金額とが登録されるユーザー管理テーブルを管理するユーザー管理部と、前記セキュリティーコードに基づきユーザーを認証する認証管理部と、前記携帯端末からのログイン要求があると、前記認証管理部に対し、ユーザーの認証を指示し、前記ユーザー管理部に対し、前記認証管理部が認証したユーザーからの前記第１のカード情報に基づき前記第１のカードのチャージ金額を、前記移動金額を差し引いた内容に更新させ、前記第２のカード情報に基づき前記第２のカードのチャージ金額を、前記移動金額を加えた内容に更新させるシステム制御部とを有することを特徴とする。
また、後払いに用いられる第３のカードと、前記第１及び第２のカードに対して指定した金額をチャージするチャージ端末とを備え、前記ユーザー管理テーブルには、前記第３のカードの第３のカード情報と、前記第３のカードのオンライン決済サービスアカウント情報とが登録され、前記システム制御部は、前記ユーザー管理テーブルを参照し、前記移動金額が前記第１のカードのチャージ金額により多い場合、前記オンライン決済サービスアカウント情報を元に、差額分を含む請求情報をオンライン決済サービス側に送信し、前記チャージ端末に前記第２のカード情報とチャージ金額とを含むチャージ関連情報を送信することを特徴とする。
本発明のプリペイドマネー移動方法は、第１及び第２のカードにより、プリペイドマネーをチャージする工程と、携帯端末により、前記第１及び／又は第２のカードに対して情報の読み出し及び書き込みを行う工程と、クラウドサーバーにより、前記第１及び第２のカードに関する情報を管理する工程とを有し、前記携帯端末は、指定された移動金額に基づき、前記第１のカードのチャージ金額を前記第２のカードに移動させ、前記第１のカードから読み出した第１のカード情報と、前記第２のカードから読み出した第２のカード情報と、前記第１のカードから前記第２のカードに移動させた移動金額とを前記クラウドサーバーに送信し、前記クラウドサーバーは、前記第１及び第２のカード情報と前記移動金額とに基づき、前記第１及び第２のカードのチャージ金額を管理することを特徴とする。
また、前記クラウドサーバーのユーザー管理部により、前記第１及び／又は第２のカードを保有するユーザーの識別情報及びセキュリティーコードを含むアカウント情報と、前記第１及び第２のカードに関する前記第１及び第２のカード情報と、前記第１及び第２のカードのチャージ金額とが登録されるユーザー管理テーブルを管理する工程と、前記クラウドサーバーの認証管理部により、前記セキュリティーコードに基づきユーザーを認証する工程と、システム制御部により、前記携帯端末からのログイン要求があると、前記認証管理部に対し、ユーザーの認証を指示し、前記ユーザー管理部に対し、前記認証管理部が認証したユーザーからの前記第１のカード情報に基づき前記第１のカードのチャージ金額を、前記移動金額を差し引いた内容に更新させ、前記第２のカード情報に基づき前記第２のカードのチャージ金額を、前記移動金額を加えた内容に更新させる工程とを有することを特徴とする。
また、前記ユーザー管理テーブルには、後払いに用いられる第３のカードの第３のカード情報と、前記第３のカードのオンライン決済サービスアカウント情報とが登録され、チャージ端末により、前記第１及び第２のカードに対して指定した金額をチャージする工程と、前記システム制御部により、前記ユーザー管理テーブルを参照し、前記移動金額が前記第１のカードのチャージ金額により多い場合、前記オンライン決済サービスアカウント情報を元に、差額分を含む請求情報をオンライン決済サービス側に送信し、前記チャージ端末に前記第２のカード情報とチャージ金額とを含むチャージ関連情報を送信する工程とを有することを特徴とする。
本発明のプリペイドマネー移動システム及びプリペイドマネー移動方法では、第１及び第２のカードにより、プリペイドマネーをチャージし、携帯端末により、第１及び／又は第２のカードに対して情報の読み出し及び書き込みを行い、クラウドサーバーにより、第１及び第２のカードに関する情報を管理する。また、携帯端末は、指定された移動金額に基づき、第１のカードのチャージ金額を第２のカードに移動させ、第１のカードから読み出した第１のカード情報と、第２のカードから読み出した第２のカード情報と、第１のカードから第２のカードに移動させた移動金額とをクラウドサーバーに送信すると、クラウドサーバーは、第１及び第２のカード情報と移動金額とに基づき、第１及び第２のカードのチャージ金額を管理する。
これにより、第１のカードから第２のカードへの移動金額の移動を携帯端末によって行うことができる。
【発明の効果】
【００１０】
本発明のプリペイドマネー移動システム及びプリペイドマネー移動方法によれば、第１のカードから第２のカードへの移動金額の移動を携帯端末によって行うことができるので、第１のカードから第２のカードへのチャージ移動を容易かつ確実に行うことができる。
【図面の簡単な説明】
【００１１】
【図１】本発明のプリペイドマネー移動システムの第１の実施形態を説明するための図である。
【図２】図１の携帯端末、スマートカード、クラウドサーバーの構成の一例について説明するための図である。
【図３】図２のクラウドサーバーのユーザー管理部が管理するユーザー管理テーブルを説明するための図である。
【図４】図１の携帯端末側の処理を説明するためのフローチャートである。
【図５】図１のクラウドサーバー側の処理を説明するためのフローチャートである。
【図６】本発明のプリペイドマネー移動システムの第２の実施形態を説明するための図である。
【図７】図６の携帯端末側の処理を説明するためのフローチャートである。
【図８】図６のクラウドサーバー側の処理を説明するためのフローチャートである。
【発明を実施するための形態】
【００１２】
（第１の実施形態）
以下、本発明のプリペイドマネー移動システムの第１の実施形態を、図１〜図５を参照しながら説明する。
【００１３】
まず、図１に示すように、プリペイドマネー移動システムは、携帯端末１００、スマートカード２００Ａ、２００Ｂ、クラウドサーバー３００、チャージ端末４００を備えている。携帯端末１００は、図示しない無線基地局を経由し、ネットワーク５００を介してクラウドサーバー３００に接続される。携帯端末１００としては、たとえばＮＦＣ（登録商標：Ｎｅａｒ  Ｆｉｅｌｄ  Ｃｏｍｍｕｎｉｃａｔｉｏｎ）による、スマートカード２００Ａ、２００Ｂに対して情報のリード／ライト機能と、クラウドサーバー３００に対する通信機能とを有したスマートフォンやタブレット端末などを用いることができる。なお、携帯端末１００は、ＮＦＣ（登録商標）に限らず、Ｍｉｆａｒｅ（登録商標）やＦｅｌｉＣａ（登録商標）などの他の通信方式を採用してもよい。チャージ端末４００は、ネットワーク５００を介してクラウドサーバー３００に接続される。
【００１４】
スマートカード２００Ａ、２００Ｂは、プリペイド方式の電子マネー（以下、プリペイドマネーという）をチャージする。スマートカード２００Ａ、２００Ｂは、一人のユーザーが所有してもよいし、別々のユーザーが所有してもよい。クラウドサーバー３００は、スマートカード２００Ａ、２００Ｂ間のプリペイドマネーの移動を管理する。チャージ端末４００は、たとえば現金を投入することで、端末本体５０１にかざしたスマートカード２００Ａ、２００Ｂに対し、希望する金額をチャージする。また、チャージ端末４００は、スマートカード２００Ａ、２００Ｂに対するチャージ関連情報をクラウドサーバー３００に送信する。チャージ関連情報としては、後述の図３に示すユーザー情報６１１、カード情報６２１、チャージ金額６２３を含む。
【００１５】
次に、図２を参照し、携帯端末１００、スマートカード２００Ａ、２００Ｂ、クラウドサーバー３００の構成の一例について説明する。まず、携帯端末１００は、アンテナ１０１、パネル部１０２を制御する制御部１１０を備えている。アンテナ１０１は、無線によりスマートカード２００Ａ、２００Ｂなどとの通信を受け持つ。また、アンテナ１０１は、図示しない無線基地局を経由し、ネットワーク５００を介してのクラウドサーバー３００との通信を受け持つ。また、アンテナ１０１は、図示しないコンテンツサーバーやウェブサーバーなどとの通信を受け持つ。パネル部１０２は、携帯端末１００の各種機能の選択、文字入力、情報表示などを行うタッチパネルなどのデバイスである。
【００１６】
制御部１１０は、アプリケーションプログラム及び制御プログラムなどを実行して携帯端末１００全体の動作を制御するプロセッサーである。制御部１１０は、通信制御部１１１、ＲＡＭ（Ｒａｎｄｏｍ  Ａｃｃｅｓｓ  Ｍｅｍｏｒｙ  ）１１２、ＲＯＭ（Ｒｅａｄ  Ｏｎｌｙ  Ｍｅｍｏｒｙ）１１３、パネル操作制御部１１４、システム制御部１１５を備えている。また、これらは、データバス１１６に接続されている。
【００１７】
通信制御部１１１は、アンテナ１０１を介し、スマートカード２００Ａ、２００Ｂやクラウドサーバー３００などの送受信の制御を行う。ＲＡＭ１１２は、プログラムを実行するためのワークメモリーである。ＲＯＭ１１３には、各部の動作チェックなどを行う制御プログラムが記憶されている。パネル操作制御部１１４は、パネル部１０２の表示動作などを制御する。
【００１８】
システム制御部１１５は、各部の連携動作などを制御する。また、システム制御部１１５は、無線によるリード／ライト機能を有し、パネル部１０２を介してスマートカード２００Ａ、２００Ｂの情報の読み込みや書き込みの指示があると、通信制御部１１１に対し、アンテナ１０１から電波を送信させる。
【００１９】
スマートカード２００Ａ、２００Ｂは、アンテナ部２１１とＩＣ（Ｉｎｔｅｇｒａｔｅｄ  Ｃｉｒｃｕｉｔ）チップ２１２とを有するチップ部２１０を設けている。アンテナ部２１１は、特定の周波数（たとえば１３．５６ＭＨｚ）を利用して携帯端末１００や、チャージ端末４００との通信を行う。ＩＣチップ２１２は、後述の図３に示すユーザー情報６１１、カード情報６２１、カード種別６２２、チャージ金額６２３などのカード保持情報を記憶する不揮発性メモリーを有している。また、ＩＣチップ２１２は、アンテナ部２１１を介して受け取った情報を不揮発性メモリーに書き込んだり、不揮発性メモリーの情報をアンテナ部２１１を介して送信したりする。なお、不揮発性メモリーの情報は、ＮＦＣ（登録商標）規格で定義されたフォーマットで書き込まれる。
【００２０】
クラウドサーバー３００は、Ｉ／Ｆ（インターフェース）３０１、ＨＤＤ３０２を制御する制御部３１０を備えている。Ｉ／Ｆ３０１は、ネットワーク５００を介し、携帯端末１００やチャージ端末４００などとの通信を受け持つ。ＨＤＤ３０２は、クラウドサーバー３００の種々の機能を提供するためのアプリケーションプログラムなどを記憶している記憶デバイスである。また、ＨＤＤ３０２は、後述の図３に示すユーザー管理テーブル６００を記憶している。
【００２１】
制御部３１０は、制御プログラムなどを実行してクラウドサーバー３００全体の動作を制御するプロセッサーである。制御部３１０は、通信制御部３１１、ＲＡＭ３１２、ＲＯＭ３１３、認証管理部３１４、ユーザー管理部３１５、ＨＤＤ制御部３１６、システム制御部３１７を備えている。また、これらは、データバス３１８に接続されている。
【００２２】
通信制御部３１１は、Ｉ／Ｆ３０１を介し、携帯端末１００やチャージ端末４００などとの送受信の制御を行う。ＲＡＭ３１２は、プログラムを実行するためのワークメモリーである。ＲＯＭ３１３には、各部の動作チェックなどを行う制御プログラムが記憶されている。認証管理部３１４は、携帯端末１００からのログイン要求に含まれる後述の図３に示すセキュリティーコード６１２に基づきユーザー認証を行う。ユーザー管理部３１５は、後述の図３に示すユーザー管理テーブル６００を管理する。ＨＤＤ制御部３１６は、ＨＤＤ３０２に対するデータの読み込み及び書き込みなどを制御する。システム制御部３１７は、各部の連携動作を制御する。また、システム制御部３１７は、たとえば携帯端末１００からの要求に基づき、ユーザー管理部３１５に対して後述の図３に示すユーザー管理テーブル６００の内容の更新などを指示する。
【００２３】
次に、図３を参照し、クラウドサーバー３００のユーザー管理部３１５によるユーザー管理テーブル６００の管理について説明する。ユーザー管理テーブル６００には、アカウント情報６１０と、決済媒体情報６２０とが登録される。アカウント情報６１０は、セキュリティーコード６１２を含む。セキュリティーコード６１２は、ユーザーの識別情報（所謂、ユーザーＩＤ（Ｉｄｅｎｔｉｆｉｃａｔｉｏｎ）とパスワードとを含む。アカウント情報６１０は、ユーザー情報６１１を含んでいてもよい。ユーザー情報６１１は、ユーザー名を含む。
【００２４】
決済媒体情報６２０は、カード情報６２１、カード種別６２２、チャージ金額６２３、オンライン決済サービスアカウント情報６２４を含む。カード情報６２１は、スマートカード２００Ａ、２００Ｂに記載されているカード番号である。カード種別６２２は、たとえばスマートカード２００Ａ、２００Ｂであるか、後払いに用いられるクレジットカードであるかを示す。チャージ金額６２３は、スマートカード２００Ａ、２００Ｂにチャージされている金額を示す。オンライン決済サービスアカウント情報６２４は、メールアドレスを利用したクレジットカード決済のためのオンライン送金システムである、たとえばＰａｙＰａｌ（登録商標）に登録した情報である。なお、オンライン決済サービスアカウント情報６２４については、第２の実施形態で説明する。
【００２５】
次に、図４及び図５を参照し、プリペイドマネー移動方法について説明する。なお、図４は携帯端末１００側の処理を示し、図５はクラウドサーバー３００側の処理を示している。また、以下においては、チャージ金額の移動に際し、ユーザーＡのスマートカード２００Ａを移動元とし、ユーザーＢのスマートカード２００Ｂを移動先として説明する。また、以下においては、ユーザーＡがスマートカード２００Ａを保有し、ユーザーＢがスマートカード２００Ｂを保有するものとして説明する。また、携帯端末１００にあっては、スマートカード２００Ａ、２００Ｂに対する情報の読み出し及び書き込みを行うリード／ライト機能が起動されているものとする。まず、図４により、携帯端末１００側の処理について説明する。
【００２６】
（ステップＳ１０１）
システム制御部１１５は、ログインが完了したかどうかを判断する。
この場合、システム制御部１１５は、通信制御部１１１を介し、クラウドサーバー３００に対して図３に示したユーザーＩＤ及びパスワードを示すセキュリティーコード６１２を含むログイン要求を送信する。
システム制御部１１５は、通信制御部１１１を介し、クラウドサーバー３００からのログイン要求に対しての応答を確認できなければログインが完了していないと判断する（ステップＳ１０１：Ｎｏ）。
これに対し、システム制御部１１５は、通信制御部１１１を介し、クラウドサーバー３００からのログイン要求に対しての応答を確認すると、ログインが完了したと判断し（ステップＳ１０１：Ｙｅｓ）、ステップＳ１０２に移行する。
【００２７】
（ステップＳ１０２）
システム制御部１１５は、移動元からの応答が有るかどうかを判断する。
この場合、システム制御部１１５は、通信制御部１１１に対し、アンテナ１０１から電波を送信させている状態で、スマートカード２００Ａからの応答が無ければ、移動元のスマートカード２００Ａからの応答が無いと判断する（ステップＳ１０２：Ｎｏ）。
これに対し、システム制御部１１５は、通信制御部１１１に対し、アンテナ１０１から電波を送信させている状態で、スマートカード２００Ａからの応答が有れば、移動元のスマートカード２００Ａからの応答が有ると判断し（ステップＳ１０２：Ｙｅｓ）、ステップＳ１０３に移行する。
【００２８】
（ステップＳ１０３）
システム制御部１１５は、移動元からのカード保持情報を読み出す。
この場合、システム制御部１１５は、リード／ライト機能により、通信制御部１１１を介し、スマートカード２００ＡのＩＣチップ２１２が記憶している図３に示したユーザー情報６１１、カード情報６２１、カード種別６２２、チャージ金額６２３などのカード保持情報を読み出す。
【００２９】
（ステップＳ１０４）
システム制御部１１５は、読み出しが完了したかどうかを判断する。
この場合、システム制御部１１５は、通信制御部１１１からの読み出しが完了したことを示す通知が無ければ読み出しが完了していないと判断する（ステップＳ１０４：Ｎｏ）。
これに対し、システム制御部１１５は、通信制御部１１１からの読み出しが完了したことを示す通知が有れば読み出しが完了したと判断し（ステップＳ１０４：Ｙｅｓ）、ステップＳ１０５に移行する。
【００３０】
（ステップＳ１０５）
システム制御部１１５は、カード保持情報を表示させる。
この場合、システム制御部１１５は、パネル操作制御部１１４を介し、パネル部１０２にスマートカード２００Ａから読み出したカード保持情報を表示させる。
【００３１】
（ステップＳ１０６）
システム制御部１１５は、移動先への移動金額を受け付けさせる。
この場合、システム制御部１１５は、パネル操作制御部１１４に対し、スマートカード２００Ｂへの移動金額を受け付けさせる。
【００３２】
（ステップＳ１０７）
システム制御部１１５は、チャージ金額を超えているかどうかを判断する。
この場合、システム制御部１１５は、パネル操作制御部１１４が受け付けた移動金額と、カード保持情報に含まれるチャージ金額６２３とを比較し、移動金額がチャージ金額６２３より多いとき、チャージ金額を超えていると判断し（ステップＳ１０７：Ｙｅｓ）、ステップＳ１０６に移行して再度移動先への移動金額を受け付けさせる。
これに対し、システム制御部１１５は、パネル操作制御部１１４が受け付けた移動金額と、カード保持情報に含まれるチャージ金額６２３とを比較し、移動金額がチャージ金額６２３以内のとき、チャージ金額を超えていないと判断し（ステップＳ１０７：Ｎｏ）、ステップＳ１０８に移行する。
【００３３】
（ステップＳ１０８）
システム制御部１１５は、移動元に対し、チャージ金額６２３から移動金額を差し引く。
この場合、システム制御部１１５は、リード／ライト機能により、通信制御部１１１を介し、スマートカード２００Ａに移動金額を示す情報を電波で送信する。
このとき、スマートカード２００ＡのＩＣチップ２１２がアンテナ部２１１を介して電波を受信すると、ステップＳ１０３で読み出したチャージ金額６２３から移動金額を差し引いた金額を新たなチャージ金額６２３として記憶する。
【００３４】
（ステップＳ１０９）
システム制御部１１５は、移動先からの応答が有るかどうかを判断する。
この場合、システム制御部１１５は、通信制御部１１１に対し、アンテナ１０１から電波を送信させている状態で、スマートカード２００Ｂからの応答が無ければ、移動先のスマートカード２００Ｂからの応答が無いと判断する（ステップＳ１０９：Ｎｏ）。
これに対し、システム制御部１１５は、通信制御部１１１に対し、アンテナ１０１から電波を送信させている状態で、スマートカード２００Ｂからの応答が有れば、移動先のスマートカード２００Ｂからの応答が有ると判断し（ステップＳ１０９：Ｙｅｓ）、ステップＳ１１０に移行する。
【００３５】
（ステップＳ１１０）
システム制御部１１５は、移動先からのカード保持情報を読み出す。
この場合、システム制御部１１５は、リード／ライト機能により、通信制御部１１１を介し、スマートカード２００ＢのＩＣチップ２１２が記憶している図３に示したユーザー情報６１１、カード情報６２１、カード種別６２２、チャージ金額６２３などのカード保持情報を読み出す。
【００３６】
（ステップＳ１１１）
システム制御部１１５は、読み出しが完了したかどうかを判断する。
この場合、システム制御部１１５は、通信制御部１１１からの読み出しが完了したことを示す通知が無ければ読み出しが完了していないと判断する（ステップＳ１１１：Ｎｏ）。
これに対し、システム制御部１１５は、通信制御部１１１からの読み出しが完了したことを示す通知が有れば読み出しが完了したと判断し（ステップＳ１１１：Ｙｅｓ）、ステップＳ１１２に移行する。
【００３７】
（ステップＳ１１２）
システム制御部１１５は、移動先に対し、チャージ金額６２３に移動金額をチャージする。
この場合、システム制御部１１５は、リード／ライト機能により、通信制御部１１１を介し、スマートカード２００Ｂに移動金額を示す情報を電波で送信する。
このとき、スマートカード２００ＢのＩＣチップ２１２がアンテナ部２１１を介して電波を受信すると、ステップＳ１０９で読み出したチャージ金額６２３に移動金額を加算して新たなチャージ金額６２３として記憶する。
【００３８】
（ステップＳ１１３）
システム制御部１１５は、書き込みが完了したかどうかを判断する。
この場合、システム制御部１１５は、スマートカード２００Ｂからの応答が無ければ書き込みが完了していないと判断する（ステップＳ１１３：Ｎｏ）。
これに対し、システム制御部１１５は、スマートカード２００Ｂからの応答が有れば書き込みが完了したと判断し（ステップＳ１１３：Ｙｅｓ）、ステップＳ１１４に移行する。
【００３９】
（ステップＳ１１４）
システム制御部１１５は、移動元及び移動先のカード保持情報と移動金額とを送信する。
この場合、システム制御部１１５は、通信制御部１１１を介し、移動元のスマートカード２００Ａ及び移動先のスマートカード２００Ｂから読み出した図３のユーザー情報６１１、カード情報６２１、カード種別６２２、チャージ金額６２３などのカード保持情報と、スマートカード２００Ａからスマートカード２００Ｂへ移動させた移動金額とをクラウドサーバー３００に送信する。
【００４０】
次に、図５を参照し、クラウドサーバー３００側の処理について説明する。
【００４１】
（ステップＳ２０１）
システム制御部３１７は、ログイン要求が有るかどうかを判断する。ここで、ログイン要求は、図４に示す処理を実行するために携帯端末１００から送信されたものとする。
この場合、システム制御部３１７は、通信制御部３１１からのログイン要求があったことを示す通知が無ければログイン要求が無いと判断する（ステップＳ２０１：Ｎｏ）。
これに対し、システム制御部３１７は、通信制御部３１１からのログイン要求があったことを示す通知が有ればログイン要求が有ると判断し（ステップＳ２０１：Ｙｅｓ）、ステップＳ２０２に移行する。このとき、システム制御部３１７は、認証管理部３１４に対し、ログイン要求に含まれる図３に示したユーザーＩＤ及びパスワードを示すセキュリティーコード６１２を渡し、認証を指示する。
【００４２】
（ステップＳ２０２）
システム制御部３１７は、認証に成功したかどうかを判断する。
この場合、システム制御部３１７は、認証管理部３１４からの通知が認証失敗であれば、認証に成功しないと判断し（ステップＳ２０２：Ｎｏ）、処理を終了する。このとき、システム制御部３１７は、通信制御部３１１を介し、携帯端末１００に認証失敗であることを通知する。
これに対し、システム制御部３１７は、認証管理部３１４からの通知が認証成功であれば、認証に成功したと判断し（ステップＳ２０２：Ｙｅｓ）、ステップＳ２０３に移行する。
【００４３】
（ステップＳ２０３）
システム制御部３１７は、携帯端末１００からの情報を受け取ったかどうかを判断する。
この場合、システム制御部３１７は、通信制御部３１１が携帯端末１００からの移動元のスマートカード２００Ａ及び移動先のスマートカード２００Ｂから読み出した図３のユーザー情報６１１、カード情報６２１、カード種別６２２、チャージ金額６２３などのカード保持情報と、スマートカード２００Ａからスマートカード２００Ｂへ移動させた移動金額とを含む情報を受け取っていなければ、携帯端末１００からの情報を受け取っていないと判断する（ステップＳ２０３：Ｎｏ）。
これに対し、システム制御部３１７は、通信制御部３１１が携帯端末１００からの移動元のスマートカード２００Ａ及び移動先のスマートカード２００Ｂから読み出した図３のユーザー情報６１１、カード情報６２１、カード種別６２２、チャージ金額６２３などのカード保持情報と、スマートカード２００Ａからスマートカード２００Ｂへ移動させた移動金額とを含む情報を受け取っていれば、携帯端末１００からの情報を受け取ったと判断し（ステップＳ２０３：Ｙｅｓ）、ステップＳ２０４に移行する。
【００４４】
（ステップＳ２０４）
システム制御部３１７は、ユーザー管理部３１５に対し、内容の更新を指示する。
この場合、システム制御部３１７は、携帯端末１００から受け取った情報を、ユーザー管理部３１５に渡す。
このとき、ユーザー管理部３１５は、システム制御部３１７から受け取ったユーザー情報６１１、カード情報６２１、カード種別６２２、チャージ金額６２３などのカード保持情報と、スマートカード２００Ａからスマートカード２００Ｂへ移動させた移動金額とを元に、図３のユーザー管理テーブル６００の内容を更新する。すなわち、ユーザー管理部３１５は、ユーザー情報６１１、カード情報６２１、カード種別６２２からユーザーＡが保有するスマートカード２００Ａを特定する。そして、ユーザー管理部３１５は、スマートカード２００Ａのチャージ金額６２３において、移動金額を差し引いた内容に更新する。
また、ユーザー管理部３１５は、ユーザー情報６１１、カード情報６２１、カード種別６２２からユーザーＢが保有するスマートカード２００Ｂを特定する。そして、ユーザー管理部３１５は、スマートカード２００Ｂのチャージ金額６２３において、移動金額を加えた内容に更新する。
【００４５】
（ステップＳ２０５）
システム制御部３１７は、内容の更新が完了したかどうかを判断する。
この場合、システム制御部３１７は、ユーザー管理部３１５からの内容の更新が完了したことを示す通知が無ければ内容の更新が完了していないと判断する（ステップＳ２０５：Ｎｏ）。
これに対し、システム制御部３１７は、ユーザー管理部３１５からの内容の更新が完了したことを示す通知が有れば内容の更新が完了したと判断し（ステップＳ２０５：Ｙｅｓ）、ステップＳ２０６に移行する。
【００４６】
（ステップＳ２０６）
システム制御部３１７は、受け付け完了を通知する。
この場合、システム制御部３１７は、通信制御部３１１を介し、携帯端末１００に受け付け完了を通知する。
【００４７】
このように、第１の実施形態では、スマートカード２００Ａ、２００Ｂ（第１及び第２のカード）により、プリペイドマネーをチャージし、携帯端末１００により、スマートカード２００Ａ及び／又は２００Ｂ（第１及び／又は第２のカード）に対して情報の読み出し及び書き込みを行い、クラウドサーバー３００により、スマートカード２００Ａ、２００Ｂ（第１及び第２のカード）に関する情報を管理する。また、携帯端末１００は、指定された移動金額に基づき、スマートカード２００Ａ（第１のカード）のチャージ金額をスマートカード２００Ｂ（第２のカード）に移動させ、スマートカード２００Ａ（第１のカード）から読み出したカード情報６２１（第１のカード情報）と、スマートカード２００Ｂ（第２のカード）から読み出したカード情報６２１（第２のカード情報）と、スマートカード２００Ａ（第１のカード）からスマートカード２００Ｂ（第２のカード）に移動させた移動金額とをクラウドサーバー３００に送信すると、クラウドサーバー３００は、カード情報６２１（第１のカード情報）及びカード情報６２１（第２のカード情報）と移動金額とに基づき、スマートカード２００Ａ、２００Ｂ（第１及び第２のカード）のチャージ金額を管理する。
【００４８】
これにより、スマートカード２００Ａ（第１のカード）からスマートカード２００Ｂ（第２のカード）への移動金額の移動を携帯端末１００によって行うことができるので、スマートカード２００Ａ（第１のカード）からスマートカード２００Ｂ（第２のカード）へのチャージ移動を容易かつ確実に行うことができる。
【００４９】
（第２の実施形態）
次に、図６〜図８を参照し、プリペイドマネー移動システムの第２の実施形態について説明する。まず、図６に示すように、プリペイドマネー移動システムは、図１と同様に、携帯端末１００、スマートカード２００Ａ、２００Ｂ、クラウドサーバー３００、チャージ端末４００を備えている。また、携帯端末１００、スマートカード２００Ａ、２００Ｂ、クラウドサーバー３００の構成については、図２と同じである。ただし、第２の実施形態では、ユーザーＡのクレジットカード２００Ｃを利用する点で、図１のプリペイドマネー移動システムとは構成が異なる。すなわち、第２の実施形態では、上記同様に、スマートカード２００Ａのチャージ金額をスマートカード２００Ｂに移動させるものであるが、スマートカード２００Ｂへの移動金額がスマートカード２００Ａのチャージ金額より多い場合、差額分をクレジットカード２００Ｃを利用して補うものである。
【００５０】
この場合の携帯端末１００側の処理と、クラウドサーバー３００側の処理について、図７及び図８を参照し説明する。まず、図７により、携帯端末１００側の処理について説明する。
【００５１】
（ステップＳ３０１）
システム制御部１１５は、ログインが完了したかどうかを判断する。
この場合、システム制御部１１５は、通信制御部１１１を介し、クラウドサーバー３００に対して図３に示したユーザーＩＤ及びパスワードを示すセキュリティーコード６１２を含むログイン要求を送信する。
システム制御部１１５は、通信制御部１１１を介し、クラウドサーバー３００からのログイン要求に対しての応答を確認できなければログインが完了していないと判断する（ステップＳ３０１：Ｎｏ）。
これに対し、システム制御部１１５は、通信制御部１１１を介し、クラウドサーバー３００からのログイン要求に対しての応答を確認すると、ログインが完了したと判断し（ステップＳ３０１：Ｙｅｓ）、ステップＳ３０２に移行する。
【００５２】
（ステップＳ３０２）
システム制御部１１５は、移動元からの応答が有るかどうかを判断する。
この場合、システム制御部１１５は、通信制御部１１１に対し、アンテナ１０１から電波を送信させている状態で、スマートカード２００Ａからの応答が無ければ、移動元のスマートカード２００Ａからの応答が無いと判断する（ステップＳ３０２：Ｎｏ）。
これに対し、システム制御部１１５は、通信制御部１１１に対し、アンテナ１０１から電波を送信させている状態で、スマートカード２００Ａからの応答が有れば、移動元のスマートカード２００Ａからの応答が有ると判断し（ステップＳ３０２：Ｙｅｓ）、ステップＳ３０３に移行する。
【００５３】
（ステップＳ３０３）
システム制御部１１５は、移動元からのカード保持情報を読み出す。
この場合、システム制御部１１５は、リード／ライト機能により、通信制御部１１１を介し、スマートカード２００ＡのＩＣチップ２１２が記憶している図３に示したユーザー情報６１１、カード情報６２１、カード種別６２２、チャージ金額６２３などのカード保持情報を読み出す。
【００５４】
（ステップＳ３０４）
システム制御部１１５は、読み出しが完了したかどうかを判断する。
この場合、システム制御部１１５は、通信制御部１１１からの読み出しが完了したことを示す通知が無ければ読み出しが完了していないと判断する（ステップＳ３０４：Ｎｏ）。
これに対し、システム制御部１１５は、通信制御部１１１からの読み出しが完了したことを示す通知が有れば読み出しが完了したと判断し（ステップＳ３０４：Ｙｅｓ）、ステップＳ３０５に移行する。
【００５５】
（ステップＳ３０５）
システム制御部１１５は、カード保持情報を表示させる。
この場合、システム制御部１１５は、パネル操作制御部１１４を介し、パネル部１０２にスマートカード２００Ａから読み出したカード保持情報を表示させる。
【００５６】
（ステップＳ３０６）
システム制御部１１５は、移動先への移動金額を受け付けさせる。
この場合、システム制御部１１５は、パネル操作制御部１１４に対し、スマートカード２００Ｂのカード情報６２１と、スマートカード２００Ｂへの移動金額とを受け付けさせる。
【００５７】
（ステップＳ３０７）
システム制御部１１５は、クレジットカード２００Ｃのカード情報６２１を受け付けさせる。
この場合、システム制御部１１５は、パネル操作制御部１１４に対し、クレジットカード２００Ｃのカード情報６２１を受け付けさせる。
【００５８】
（ステップＳ３０８）
システム制御部１１５は、受け付けが完了したかどうかを判断する。
この場合、システム制御部１１５は、パネル操作制御部１１４からの受け付けが完了したことを示す通知が無ければ受け付けが完了していないと判断する（ステップＳ３０８：Ｎｏ）。
これに対し、システム制御部１１５は、パネル操作制御部１１４からの受け付けが完了したことを示す通知が有れば受け付けが完了したと判断し（ステップＳ３０８：Ｙｅｓ）、ステップＳ３０９に移行する。
【００５９】
（ステップＳ３０９）
システム制御部１１５は、移動元に対し、チャージ金額６２３から移動金額を差し引く。
この場合、システム制御部１１５は、リード／ライト機能により、通信制御部１１１を介し、スマートカード２００Ａに移動金額を示す情報を電波で送信する。
このとき、スマートカード２００ＡのＩＣチップ２１２がアンテナ部２１１を介して電波を受信すると、ステップＳ３０３で読み出したチャージ金額６２３から移動金額を差し引いた金額を新たなチャージ金額６２３として記憶する。
なお、移動金額がステップＳ３０３で読み出したチャージ金額６２３以上の場合、スマートカード２００Ａにチャージされている全額を差し引いて、新たなチャージ金額６２３をゼロとする。
【００６０】
（ステップＳ３１０）
システム制御部１１５は、移動元のカード保持情報と、移動先のカード情報６２１と、移動金額とを送信する。
この場合、システム制御部１１５は、通信制御部１１１を介し、移動元のスマートカード２００Ａから読み出した図３のユーザー情報６１１、カード情報６２１、カード種別６２２、チャージ金額６２３などのカード保持情報と、移動先のスマートカード２００Ｂのカード情報６２１と、スマートカード２００Ａからスマートカード２００Ｂへ移動させる移動金額と、クレジットカード２００Ｃのカード情報６２１とをクラウドサーバー３００に送信する。
【００６１】
次に、図８を参照し、クラウドサーバー３００側の処理について説明する。
【００６２】
（ステップＳ４０１）
システム制御部３１７は、ログイン要求が有るかどうかを判断する。ここで、ログイン要求は、図７に示す処理を実行するために携帯端末１００から送信されたものとする。
この場合、システム制御部３１７は、通信制御部３１１からのログイン要求があったことを示す通知が無ければログイン要求が無いと判断する（ステップＳ４０１：Ｎｏ）。
これに対し、システム制御部３１７は、通信制御部３１１からのログイン要求があったことを示す通知が有ればログイン要求が有ると判断し（ステップＳ４０１：Ｙｅｓ）、ステップＳ４０２に移行する。このとき、システム制御部３１７は、認証管理部３１４に対し、ログイン要求に含まれる図３に示したユーザーＩＤ及びパスワードを示すセキュリティーコード６１２を渡し、認証を指示する。
【００６３】
（ステップＳ４０２）
システム制御部３１７は、認証に成功したかどうかを判断する。
この場合、システム制御部３１７は、認証管理部３１４からの通知が認証失敗であれば、認証に成功しないと判断し（ステップＳ４０２：Ｎｏ）、処理を終了する。このとき、システム制御部３１７は、通信制御部３１１を介し、携帯端末１００に認証失敗であることを通知する。
これに対し、システム制御部３１７は、認証管理部３１４からの通知が認証成功であれば、認証に成功したと判断し（ステップＳ４０２：Ｙｅｓ）、ステップＳ４０３に移行する。
【００６４】
（ステップＳ４０３）
システム制御部３１７は、携帯端末１００からの情報を受け取ったかどうかを判断する。
この場合、システム制御部３１７は、通信制御部３１１が携帯端末１００からの移動元のスマートカード２００Ａから読み出した図３のユーザー情報６１１、カード情報６２１、カード種別６２２、チャージ金額６２３などのカード保持情報と、移動先のスマートカード２００Ｂのカード情報６２１と、スマートカード２００Ａからスマートカード２００Ｂへ移動させる移動金額と、クレジットカード２００Ｃのカード情報６２１とを含む情報を受け取っていなければ、携帯端末１００からの情報を受け取っていないと判断する（ステップＳ４０３：Ｎｏ）。
これに対し、システム制御部３１７は、通信制御部３１１が携帯端末１００からの移動元のスマートカード２００Ａから読み出した図３のユーザー情報６１１、カード情報６２１、カード種別６２２、チャージ金額６２３などのカード保持情報と、移動先のスマートカード２００Ｂのカード情報６２１と、スマートカード２００Ａからスマートカード２００Ｂへ移動させる移動金額と、クレジットカード２００Ｃのカード情報６２１とを含む情報を受け取っていれば、携帯端末１００からの情報を受け取ったと判断し（ステップＳ４０３：Ｙｅｓ）、ステップＳ４０４に移行する。
【００６５】
（ステップＳ４０４）
システム制御部３１７は、ユーザー管理部３１５に対し、内容の更新を指示する。
この場合、システム制御部３１７は、携帯端末１００から受け取った情報を、ユーザー管理部３１５に渡す。
このとき、ユーザー管理部３１５は、システム制御部３１７から受け取ったユーザー情報６１１、カード情報６２１、カード種別６２２、チャージ金額６２３などのカード保持情報と、移動先のスマートカード２００Ｂのカード情報６２１と、スマートカード２００Ａからスマートカード２００Ｂへ移動させる移動金額とを含む情報を元に、図３のユーザー管理テーブル６００の内容を更新する。すなわち、ユーザー管理部３１５は、ユーザー情報６１１、カード情報６２１、カード種別６２２からユーザーＡが保有するスマートカード２００Ａを特定する。そして、ユーザー管理部３１５は、スマートカード２００Ａのチャージ金額６２３において、移動金額を差し引いた内容に更新する。
また、ユーザー管理部３１５は、移動先のスマートカード２００Ｂのカード情報６２１からユーザーＢが保有するスマートカード２００Ｂを特定する。そして、ユーザー管理部３１５は、スマートカード２００Ｂのチャージ金額６２３において、移動金額を加えた内容に更新する。
なお、ユーザー管理部３１５は、スマートカード２００Ａのチャージ金額６２３において、移動金額がチャージ金額６２３より多い場合、システム制御部３１７に対し差額分を通知する。
【００６６】
（ステップＳ４０５）
システム制御部３１７は、内容の更新が完了したかどうかを判断する。
この場合、システム制御部３１７は、ユーザー管理部３１５からの内容の更新が完了したことを示す通知が無ければ内容の更新が完了していないと判断する（ステップＳ４０５：Ｎｏ）。
これに対し、システム制御部３１７は、ユーザー管理部３１５からの内容の更新が完了したことを示す通知が有れば内容の更新が完了したと判断し（ステップＳ４０５：Ｙｅｓ）、ステップＳ４０６に移行する。
【００６７】
（ステップＳ４０６）
システム制御部３１７は、チャージ金額を超えているかどうかを判断する。
この場合、システム制御部３１７は、ユーザー管理部３１５からの差額分を示す通知が無ければチャージ金額を超えていないと判断し（ステップＳ４０６：Ｎｏ）、ステップＳ４０８に移行する。
これに対し、システム制御部３１７は、ユーザー管理部３１５からの差額分を示す通知が有ればチャージ金額を超えていると判断し（ステップＳ４０６：Ｙｅｓ）、ステップＳ４０７に移行する。
【００６８】
（ステップＳ４０７）
システム制御部３１７は、オンライン決済サービス側に請求情報を送信する。
この場合、システム制御部３１７は、ユーザー管理テーブル６００を参照し、携帯端末１００から受け取ったクレジットカード２００Ｃのカード情報６２１に該当するオンライン決済サービスアカウント情報６２４を元に、通信制御部３１１を介して請求情報をオンライン送金システム送信する。
これにより、オンライン送金システムは、クレジットカード２００Ｃに対する差額分の決済を行う。
【００６９】
（ステップＳ４０８）
システム制御部３１７は、チャージ端末４００にチャージ関連情報を送信する。
この場合、システム制御部３１７は、通信制御部３１１を介し、ユーザーＢのユーザー情報６１１と、スマートカード２００Ｂのカード情報６２１と、チャージ金額６２３とを含むチャージ関連情報をチャージ端末４００に送信する。
これにより、ユーザーＢは、チャージ端末４００にスマートカード２００Ｂをかざすことで、図４のステップＳ１１１において、携帯端末１００が移動先に対し、チャージ金額６２３に移動金額をチャージするのと同様にして、スマートカード２００Ｂに移動金額をチャージできる。
【００７０】
（ステップＳ４０９）
システム制御部３１７は、受け付け完了を通知する。
この場合、システム制御部３１７は、通信制御部３１１を介し、携帯端末１００に受け付け完了を通知する。
【００７１】
このように、第２の実施形態では、ユーザー管理テーブル６００に、後払いに用いられるクレジットカード２００Ｃ（第３のカード）のカード情報６２１（第３のカード情報）と、クレジットカード２００Ｃ（第３のカード）のオンライン決済サービスアカウント情報６２４とが登録され、システム制御部３１７により、ユーザー管理テーブル６００を参照し、スマートカード２００Ａ（第１のカード）からスマートカード２００Ｂ（第２のカード）への移動金額がスマートカード２００Ａ（第１のカード）のチャージ金額により多い場合、オンライン決済サービスアカウント情報６２４を元に、差額分を含む請求情報をオンライン決済サービス側に送信し、チャージ端末４００にスマートカード２００Ｂ（第２のカード）のカード情報６２１（第２のカード情報）とチャージ金額とを含むチャージ関連情報を送信する。
【００７２】
これにより、スマートカード２００Ａ（第１のカード）からスマートカード２００Ｂ（第２のカード）へのチャージ移動に際し、スマートカード２００Ａ（第１のカード）のチャージ金額６２３が指定された移動金額より少ない場合、差額分をクレジットカード２００Ｃ（第３のカード）を利用して補うことができる。
【符号の説明】
【００７３】
１００  携帯端末
１０１  アンテナ
１０２  パネル部
１１０  制御部
１１１  通信制御部
１１２  ＲＡＭ
１１３  ＲＯＭ
１１４  パネル操作制御部
１１５  システム制御部
１１６  データバス
２００Ａ  スマートカード
２００Ｂ  スマートカード
２００Ｃ  クレジットカード
２１０  チップ部
２１１  アンテナ部
２１２  ＩＣチップ
３００  クラウドサーバー
３０１  Ｉ／Ｆ
３０２  ＨＤＤ
３１０  制御部
３１１  通信制御部
３１２  ＲＡＭ
３１３  ＲＯＭ
３１４  認証管理部
３１５  ユーザー管理部
３１６  ＨＤＤ制御部
３１７  システム制御部
３１８  データバス
４００  チャージ端末
５００  ネットワーク
５０１  端末本体
６００  ユーザー管理テーブル
６１０  アカウント情報
６１１  ユーザー情報
６１２  セキュリティーコード
６２０  決済媒体情報
６２１  カード情報
６２２  カード種別
６２３  チャージ金額
６２４  オンライン決済サービスアカウント情報
【図１】
2018120420.tif 000003
【図２】
2018120420.tif 000004
【図３】
2018120420.tif 000005
【図４】
2018120420.tif 000006
【図５】
2018120420.tif 000007
【図６】
2018120420.tif 000008
【図７】
2018120420.tif 000009
【図８】
2018120420.tif 000010